(57)【特許請求の範囲】
【請求項１】
筐体内部に弾性的に吊支した外槽と、前記外槽内に回転自在に支持し洗濯物を収容する内槽と、前記外槽の上方開口側に配し上方の金属材料部材と下方の樹脂材料部材を重ねて構成した略ドーナツ状の外槽カバーと、上方の樹脂材料部材に下方の金属材料部材をねじ止めして構成し前記外槽カバーの内方開口部を上開き方向に開閉する内蓋と、前記内槽内に乾燥用の温風を供給する温風供給手段とを備え、前記内蓋は、その軸支側にシャフトを有し、前記シャフトには前記内蓋を開方向に付勢する付勢ばねが取り付けられ、前記外槽カバーの上面側には、前記シャフトを軸支する軸受け部材と、前記軸受け部材の上方に設けられ前記付勢ばねの前記外槽カバー側の端部を覆う保持部材とを設け、前記外槽カバーの下面側には、前記下方の樹脂材料部材と一体に形成され角ナットを内包する囲い壁を設け、ねじを前記外槽カバーの上方から前記保持部材、前記軸受け部材、前記上方の金属材料部材および下方の樹脂材料部材を挟み込んで前記角ナットに螺合することで固定するとともに、前記外槽カバーの下方から前記角ナットおよび前記囲い壁を覆うカバー体を設けた洗濯乾燥機。
【発明の詳細な説明】
【０００１】
【発明の属する技術分野】
本発明は、内槽内に温風を送風して洗濯物を乾燥させる行程を有し、洗濯から乾燥までを一貫して実施できる洗濯乾燥機に関するものである。
【０００２】
【従来の技術】
従来、この種の洗濯乾燥機は図９および図１０に示すように構成していた。以下、その構成について説明する。
【０００３】
図９に示すように、筐体１は、回転中心軸を略鉛直方向に有する外槽２をサスペンション３により懸垂防振支持している。外槽２の内部に多数の通気孔４ａを有する内槽４を回転自在に設け、この内槽４の中央底部に回転翼５を回転自在に設け、内槽４の上方に流体バランサー６を設けている。外槽２の下方にモータ７を設け、中空で二軸構造となった洗濯・脱水軸８、および洗濯または脱水時によって回転力の伝達を洗濯・脱水軸８に切り換えるクラッチ９を介して、内槽４または回転翼５に連結している。
【０００４】
乾燥用送風機１０は、ヒータ１１により加熱された温風を温風噴出口１２より内槽４内に送風するもので、筐体１の略上方に設けており、乾燥用送風機１０とヒータ１１とで温風供給手段を構成している。熱交換ダクト１３は、湿った温風の除湿を行うもので、一端を外槽２の排水経路口１４に接続した接続ダクト１５に接続し、他端を乾燥用送風機１０に接続している。
【０００５】
排水弁１６は、外槽２の底部に固定し、排水経路口１４と熱交換ダクト１３からの排水を排水ダクト１７を通して排水弁１６に導き、排水ホース１８から機外へ排水するように構成している。外槽カバー１９は外槽２の上面を気密的に覆うもので、この外槽カバー１９に内蓋２０を開閉自在に設け、衣類の出し入れを行うようにしている。
【０００６】
また、内蓋２０は、図１０に示すように、軸支側にシャフト２１を有し、外槽カバー１９にシャフト２１を軸支する軸受け部材２２をタッピンネジ２３にて締め付け固定している。冷却用送風機２４は筐体１の内部に外部から冷却風を導入するもので、筐体１の側壁に設けている。
【０００７】
上記構成において動作を説明する。洗濯行程では、内槽４に衣類と水または湯と洗剤を投入し、伝達機構部のクラッチ９を洗濯側に設定して、モータ７の動力を洗濯軸を介して回転翼５に伝達し、回転翼５を回転させて衣類を水中で撹拌して洗濯し、その後、排水弁１６を開いて排水し、すすぎ行程で再度給水し洗濯行程と同様にして衣類をすすぐ。
【０００８】
脱水行程では、すすぎ終了後、内槽４内の水を排水弁１６を開いて排水した後、伝達機構部のクラッチ９を脱水側に切り換えて、モータ７の動力を脱水軸を介し内槽４に伝達し、洗濯物に遠心力を与えることにより、水分を洗濯物から分離することで進行する。
【０００９】
乾燥行程では、まず、回転翼５を正逆転させることにより、脱水時の遠心力で内槽４の内壁に張り付いた衣類を引き剥がした後、回転翼５を瞬間的に正逆の方向に強力に回転させて、衣類を内槽４内で上方に放り上げるように撹拌する。同時に、乾燥用送風機１０とヒータ１１からなる温風供給手段により、温風を温風噴出口１２に送る。
【００１０】
温風噴出口１２より内槽４内に吹き込まれた温風は、衣類から水分を蒸発させた後、外槽２の下部に設けた排水経路口１４、接続ダクト１５、熱交換ダクト１３、乾燥用送風機１０、ヒータ１１、温風噴出口１２に導かれ循環する。衣類から水分を蒸発させた高温多湿空気は、外槽２および熱交換ダクト１３を通過する際に、冷却用送風機２４の送風により冷却されて除湿し、その後、再び、乾燥用送風機１０、ヒータ１１に戻ることになる。これにより、乾燥が進行する。
【００１１】
【発明が解決しようとする課題】
このような従来の構成では、乾燥運転中は外槽カバー１９は高温になり、また、乾燥が終了するとともに外槽カバー１９は徐冷するため、この行程を繰り返すたびにタッピンねじ２３と螺合する外槽カバー１９の部位は膨張、収縮する。その結果、タッピンねじ２３は徐々に螺合力を失い、軸受け部材２２の固定は不安定になり、内蓋２０の開閉時、内蓋２０ががたつくといった問題があった。
【００１２】
本発明は上記課題を解決するもので、外槽カバーの温度変化による膨張、収縮に関わらず、内蓋の軸支部の固定を安定させ、内蓋開閉時の使い勝手を向上することを目的としている。
【００１３】
【課題を解決するための手段】
本発明は上記目的を達成するために、筐体内部に弾性的に吊支した外槽内に、洗濯物を収容する内槽を回転自在に支持し、外槽の上方開口側に上方の金属材料部材と下方の樹脂材料部材を重ねて構成した略ドーナツ状の外槽カバーを配し、この外槽カバーの内方開口部を上方の樹脂材料部材に下方の金属材料部材をねじ止めして構成した内蓋により上開き方向に開閉し、温風供給手段により内槽内に乾燥用の温風を供給するよう構成し、内蓋は、その軸支側にシャフトを有し、シャフトには内蓋を開方向に付勢する付勢ばねが取り付けられ、外槽カバーの上面側には、シャフトを軸支する軸受け部材と、軸受け部材の上方に設けられ付勢ばねの外槽カバー側の端部を覆う保持部材とを設け、外槽カバーの下面側には、下方の樹脂材料部材と一体に形成され角ナットを内包する囲い壁を設け、ねじを外槽カバーの上方から保持部材、軸受け部材、上方の金属材料部材および下方の樹脂材料部材を挟み込んで角ナットに螺合することで固定するとともに、外槽カバーの下方から角ナットおよび囲い壁を覆うカバー体を設けたものである。
【００１４】
これにより、外槽カバーの温度変化による膨張、収縮に関わらず、内蓋の軸支部の固定を安定させることができ、内蓋開閉時の使い勝手が向上することができるとともに、内槽内の衣類の傷つき、破れを防止できる。
【００１５】
【発明の実施の形態】
本発明の請求項１に記載の発明は、筐体内部に弾性的に吊支した外槽と、前記外槽内に回転自在に支持し洗濯物を収容する内槽と、前記外槽の上方開口側に配し上方の金属材料部材と下方の樹脂材料部材を重ねて構成した略ドーナツ状の外槽カバーと、上方の樹脂材料部材に下方の金属材料部材をねじ止めして構成し前記外槽カバーの内方開口部を上開き方向に開閉する内蓋と、前記内槽内に乾燥用の温風を供給する温風供給手段とを備え、前記内蓋は、その軸支側にシャフトを有し、前記シャフトには前記内蓋を開方向に付勢する付勢ばねが取り付けられ、前記外槽カバーの上面側には、前記シャフトを軸支する軸受け部材と、前記軸受け部材の上方に設けられ前記付勢ばねの前記外槽カバー側の端部を覆う保持部材とを設け、前記外槽カバーの下面側には、前記下方の樹脂材料部材と一体に形成され角ナットを内包する囲い壁を設け、ねじを前記外槽カバーの上方から前記保持部材、前記軸受け部材、前記上方の金属材料部材および下方の樹脂材料部材を挟み込んで前記角ナットに螺合することで固定するとともに、前記外槽カバーの下方から前記角ナットおよび前記囲い壁を覆うカバー体を設けたものであり、外槽カバーの上方からねじを締め付ける際に、囲い壁が角ナットの締め付け回転方向への共回りを防止できるとともに、外槽カバーの温度変化による膨張、収縮に関わらず、軸受け部材の外槽カバーへの固定を安定させることができて、内蓋の軸支部の固定を安定させることができ、内蓋開閉時の使い勝手を向上することができる。また、カバー体は、ねじを締め付ける前の角ナットの落下を防止でき、かつねじを締め付けた後も、角ナットおよび角ナットから突出するねじ先端部を覆うことにより、内槽内の衣類の傷つき、破れを防止できる。
【００１６】
【実施例】
以下、本発明の実施例について、図面を参照しながら説明する。なお、従来例と同じ構成のものは同一符号を付して説明を省略する。
【００１７】
（実施例１）
図１および図２に示すように、外槽カバー２５は、略ドーナツ状に形成して、外槽２の上方開口側に配置し、ステンレス鋼板などの金属材料部材２６と、ポリプロピレン樹脂などの樹脂材料部材２７とで構成し、内方開口部２８を設けて衣類を出し入れできるようにしている。
【００１８】
内蓋２９は、図３に示すように、ステンレス鋼板などの金属材料部材３０をねじ３１でポリプロピレン樹脂などの樹脂材料部材３２に締結し、内蓋２９の外周縁下面側に、パッキング部材３３を設けている。このパッキング部材３３は、変形していないときは細線で示した形状をしているが、内蓋２９を閉成した状態では、実線で示すように変形しながら外槽カバー２５の金属材料部材２６に当接し、内蓋２９と外槽カバー２５の間の気密を保つよう構成している。
【００１９】
内蓋２９の軸支側に、図１および図４に示すように、金属部材３４を取り付け、この金属部材３４に金属製のシャフト３５の両端を貫通して支持し、外槽カバー２５にねじ３６と角ナット３７とで固定された金属製の軸受け部材３８に、図５に示すように、シャフト３５の両端を内蓋２９の後方から挿入可能な切り欠き穴４０を設け、この切り欠き穴４０にシャフト３５を挿入することで、金属部材３４、シャフト３５および軸受け部材３８により蝶番を構成し、内蓋２９を上開き方向に開閉自在に軸支するとともに、シャフト３５に、つる巻き状の付勢ばね３９を取り付け、内蓋２９を常時開放方向に付勢している。
【００２０】
また、図６に示すように、保持部材４３は折曲部４３ａを形成し、この折曲部４３ａによりシャフト３５の端面４１を支持するとともに、切り欠き穴４０近傍にてシャフト３５の後方を支持し、かつ付勢ばね３９の端面４２を覆うように設けていて、この保持部材４３、軸受け部材３８、および外槽カバー２５を挟み込むようにねじ４４と角ナット４５とを螺合締結している。
【００２１】
上記構成において動作を説明する。なお、洗濯行程から脱水行程までの動作は従来例と同じであるので説明を省略する。
【００２２】
乾燥行程では、まず、回転翼５を正逆転させることにより、脱水時の遠心力で内槽４の内壁に張り付いた衣類を引き剥がした後、回転翼５を瞬間的に正逆の方向に強力に回転させて、衣類を内槽４内で上方に放り上げるように撹拌する。同時に、乾燥用送風機１０とヒータ１１からなる温風供給手段により、温風を温風噴出口１２に送る。
【００２３】
温風噴出口１２により内槽４に吹き込まれた温風は、衣類から水分を蒸発させた後、外槽２の下部に設けた排水経路口１４、接続ダクト１５、熱交換ダクト１３、乾燥用送風機１０、ヒータ１１、温風噴出口１２に導かれ循環する。衣類から水分を蒸発させた高温多湿空気は、外槽２および熱交換ダクト１３を通過する際に、冷却用送風機２４の送風により冷却されて除湿し、その後、再び、乾燥用送風機１０、ヒータ１１に戻り、乾燥される。
【００２４】
乾燥中は温風供給手段によって温風が外槽２内に絶えず供給されているため、外槽カバー２５は高温となり、乾燥行程が終了すれば外槽カバー２５は周囲の雰囲気レベルまで徐冷される。このとき、外槽カバー２５における樹脂材料部材２７は膨張、収縮を伴うが、その他の金属部位やねじ３６、４４および角ナット３７、４５は金属であるため、温度変化による寸法変化はきわめて少なく、ねじ３６、４４は緩みにくくなり、軸受け部材３８や保持部材４３の固定は固持され、結果として内蓋２９の開閉時の使い勝手を向上することができる。
【００２５】
なお、角ナット３７、４５は角袋ナットでもよく、同様の効果が得られることはいうまでもない。
【００２６】
また、温度変化の繰り返しによる樹脂材料部材２７の厚みの減少に対しては樹脂材料部材２７の耐熱性を向上させたり、ねじ３６、４４の頭部の下方にばね座金を設けたり、ねじ３６、４４のねじ部に接着剤を塗布すれば、緩み防止効果は増加する。
【００２７】
（実施例２）
図７に示すように、外槽カバー２５ａは、略ドーナツ状に形成して、外槽の上方開口側に配置するもので、ステンレス鋼板などの金属材料部材２６ａと、ポリプロピレン樹脂などの樹脂材料部材２７ａとで構成し、この外槽カバー２５ａの樹脂材料部材２７ａの下面側に囲い壁４６を設け、囲い壁４６内に角ナット３７、４５を設置し、これら角ナット３７、４５に、それぞれねじ３６、ねじ４４を外槽カバー２５ａの上方から軸受け部材３８および保持部材４３を挟み込みつつ螺合している。
【００２８】
また、角ナット３７、４５および囲い壁４６を下方から覆うようにカバー体４７を設け、このカバー体４７の中央付近を下方からタッピンねじ４８にて外槽カバー２５ａに締め付け固定している。他の構成は上記実施例１と同じである。
【００２９】
上記構成において作用を説明すると、外槽カバー２５ａを裏向けにして角ナット３７、４５を囲い壁４６内に設置し、つづいてカバー体４７を外槽カバー２５ａにタッピンねじ４８にて締め付け固定すると、外槽カバー２５ａを表面に返してねじ３６、ねじ４４を締め付ける際、角ナット３７、４５は落下せず、また、保持することなく締め付けられることから、組み立て作業性を向上することができる。
【００３０】
また、角ナット３７、４５およびねじ３６、ねじ４４のねじ先端部が外槽カバー２５ａの下方に露出しないことから、内槽４内の衣類がせり上がり外槽カバー２５ａの下方に押し付けられても、衣類の傷つきや破れを防止できる。
【００３１】
なお、囲い壁４６がなく、角ナット３７、４５をカバー体４７側に設置することも可能であるが、カバー体４７を外槽カバー２５ａにセットする際に角ナット３７、４５が落下する可能性があるため、本実施例より作業性は低下する。
【００３２】
（実施例３）
図８に示すように、外槽カバー２５ｂは、略ドーナツ状に形成して、外槽の上方開口側に配置するもので、ステンレス鋼板などの金属材料部材２６ｂと、ポリプロピレン樹脂などの樹脂材料部材２７ｂとで構成し、この外槽カバー２５ｂの樹脂材料部材２７ｂの略下面側に角ナット３７、４５をインサート成形し、これら角ナット３７、４５に、それぞれねじ３６、ねじ４４を外槽カバー２５ｂの上方から軸受け部材３８および保持部材４３を挟み込みつつ螺合している。他の構成は上記実施例１と同じである。
【００３３】
上記構成において作用を説明すると、外槽カバー２５ｂのユニットを組み立てる際、角ナット３７、４５を外槽カバー２５ｂにセットする手間が省くことができ、かつ、ねじ３６、４４を締め付ける際も、角ナット３７、４５は落下せず、また、保持することなく締め付けられることから、組み立て作業性を向上することができる。
【００３４】
また、角ナット３７、４５およびねじ３６、４４のねじ先端部が外槽カバー２５ｂの下方に露出しないことから、内槽４内の衣類がせり上がり外槽カバー２５ｂの下方に押し付けられても、衣類の傷つきや破れを防止できる。さらに部品点数も最小限で構成できるため安価にできる。
【００３５】
なお、角ナット３７、４５は角袋ナットでもよく、同様の効果が得られることはいうまでもない。
【００３６】
【発明の効果】
以上のように本発明の請求項１に記載の発明によれば、筐体内部に弾性的に吊支した外槽と、前記外槽内に回転自在に支持し洗濯物を収容する内槽と、前記外槽の上方開口側に配し上方の金属材料部材と下方の樹脂材料部材を重ねて構成した略ドーナツ状の外槽カバーと、上方の樹脂材料部材に下方の金属材料部材をねじ止めして構成し前記外槽カバーの内方開口部を上開き方向に開閉する内蓋と、前記内槽内に乾燥用の温風を供給する温風供給手段とを備え、前記内蓋は、その軸支側にシャフトを有し、前記シャフトには前記内蓋を開方向に付勢する付勢ばねが取り付けられ、前記外槽カバーの上面側には、前記シャフトを軸支する軸受け部材と、前記軸受け部材の上方に設けられ前記付勢ばねの前記外槽カバー側の端部を覆う保持部材とを設け、前記外槽カバーの下面側には、前記下方の樹脂材料部材と一体に形成され角ナットを内包する囲い壁を設け、ねじを前記外槽カバーの上方から前記保持部材、前記軸受け部材、前記上方の金属材料部材および下方の樹脂材料部材を挟み込んで前記角ナットに螺合することで固定するとともに、前記外槽カバーの下方から前記角ナットおよび前記囲い壁を覆うカバー体を設けたから、外槽カバーの上方からねじを締め付ける際に、囲い壁が角ナットの締め付け回転方向への共回りを防止できるとともに、外槽カバーの温度変化による膨張、収縮に関わらず、軸受け部材の外槽カバーへの固定を安定させることができ、内蓋開閉時の使い勝手を向上することができる。また、カバー体は、ねじを締め付ける前の角ナットの落下を防止でき、かつねじを締め付けた後も、角ナットおよび角ナットから突出するねじ先端部を覆うことにより、内槽内の衣類の傷つき、破れを防止できる。
【図面の簡単な説明】
【図１】  本発明の第１の実施例の洗濯乾燥機の内蓋の軸支側の要部断面図
【図２】  同洗濯乾燥機の縦断面図
【図３】  同洗濯乾燥機の内蓋の一部切欠した平面図
【図４】  同洗濯乾燥機の内蓋を取り付けた外槽カバーの一部切欠した平面図
【図５】  同洗濯乾燥機の内蓋の軸支側の要部断面図
【図６】  同洗濯乾燥機の内蓋の軸支側のＡ部拡大平面図
【図７】  本発明の第２の実施例の洗濯乾燥機の外槽カバーの軸支側の要部断面図
【図８】  本発明の第３の実施例の洗濯乾燥機の外槽カバーの軸支側の要部断面図
【図９】  従来の洗濯乾燥機の縦断面図
【図１０】  従来の洗濯乾燥機の内蓋の軸支側の要部拡大断面図
【符号の説明】
１  筐体
２  外槽
４    内槽
１０  乾燥用送風機（温風供給手段）
１１  ヒータ（温風供給手段）
２５  外槽カバー
２８  内方開口部
２９  内蓋
３５  シャフト
３６  ねじ
３７  角ナット
３８  軸受け部材
【図１】
0003855751.tif 000002
【図２】
0003855751.tif 000003
【図３】
0003855751.tif 000004
【図４】
0003855751.tif 000005
【図５】
0003855751.tif 000006
【図６】
0003855751.tif 000007
【図７】
0003855751.tif 000008
【図８】
0003855751.tif 000009
【図９】
0003855751.tif 000010
【図１０】
0003855751.tif 000011